(57)【要約】【課題】  狭い場所と広い面とに好適に使用することができるとともに、汎用性のある清掃シートを使用することができる清掃具を提供する。【解決手段】  外周に清掃シート３が着脱自在に装着される長方形板状の基台２と、この基台２に設けられた柄４とを備えた清掃具１において、基台２は積層状に対向配置されるとともに一方の長辺部５ａ、５ｂにおいて回動自在に連結され、他方の長辺部５ｂ、６ｂの対向面に互いに着脱可能な係合部７が形成された一対の基板５、６を備えてなり、一方の基板５の上記対向面の長手方向中央部に柄４の基端部４ａを上記対向面に沿って回動自在に支承する連結部８が形成されるとともに、基板５、６の少なくとも一方の上記対向面に、柄４を基台２の長手方向と直交する方向に延出させた際に、柄４の回動を係止して固定する第１の係止部９と、柄４を基台２の長手方向に沿って延出させた際に、柄４の回動を係止して固定する第２の係止部１０とが設けられている。【選択図】図１
2013121382.tif 000002
【特許請求の範囲】
【請求項１】
外周に清掃シートが着脱自在に装着される長方形板状の基台と、この基台に設けられた柄とを備えた清掃具において、
上記基台は、積層状に対向配置されるとともに一方の長辺部において回動自在に連結され、他方の長辺部の対向面に互いに着脱可能な係合部が形成された一対の基板を備えてなり、
一方の上記基板の上記対向面の長手方向中央部に、上記柄の基端部を上記対向面に沿って回動自在に支承する連結部が形成されるとともに、
上記基板の少なくとも一方の上記対向面に、上記柄を上記基台の長手方向と直交する方向に延出させた際に、当該柄の回動を係止して固定する第１の係止部と、上記柄を上記基台の長手方向に沿って延出させた際に、当該柄の回動を係止して固定する第２の係止部とが設けられていることを特徴とする清掃具。
【請求項２】
上記基台の他方の上記長辺部には、一対の基板の上記対向面に対して垂直に突出するとともに、当該長辺部に沿って延設された凹凸部が各々の上記基板に形成され、かつ一方の上記基板の凹部と凸部が他方の上記基板の凸部と凹部に嵌め合うように配設されていることを特徴とする請求項１に記載の清掃具。
【請求項３】
上記柄は、先端部に把持部が形成されているとともに、当該把持部が上記柄の軸線回り方向に回転自在に設けられていることを特徴とする請求項１または２に記載の清掃具。
【請求項４】
一対の上記基板の外壁面には、柔軟素材からなる緩衝部材が各々設けられていることを特徴とする請求項１〜３のいずれかに記載の清掃具。
【発明の詳細な説明】
【技術分野】
【０００１】
本発明は、清掃用シートを基台に着脱自在に装着して、床面や隙間などを清掃する清掃具に関するものである。
【背景技術】
【０００２】
従来、フローリングなどの床面を清掃する際に、掃除機などを利用せずに、手軽に利用することができるとして、モップが用いられていた。また、このモップには、机上や箪笥または棚の上などを掃除するために、ハンディタイプのもが販売されている。これらのモップは、汚れると洗浄する必要があるため、とても面倒であるとともに、広い床面には好適に使用することができるが、箪笥の裏などの狭い場所には適さないという問題がある。
【０００３】
そこで、下記特許文献１においては、操作棒を表面中央に有する細長形状の基板と、この基板の裏面に取り付けられた弾性ブレードと、この弾性ブレードを上記基板と共に被覆する払布と、この払布を基板に保持する保持具とを備えた清掃具において、上記基板の裏面側に膨出部を設け、この膨出部により上記基板前後の端縁部と床面との間に隙間が形成された清掃具が提案されている。
【０００４】
この従来の清掃具は、使い捨ての不織布からなる上記払布を、上記弾性ブレードと細長形状の上記基板とを共に被覆するとともに、上記基板に上記保持具により保持して、上記操作棒を操作することにより、フローリングなどの床面の埃や髪の毛などを当該清掃シートに絡め取るものである。
【０００５】
しかしながら、上記従来の清掃具においても、上記基板が細長形状であるため、机の下や角隅部に溜まった埃や髪の毛などを絡め取ることができ、さらに、汚れた上記払布を新しいものに容易に交換することができるものの、箪笥と壁の隙間やちょっとした隙間に使用する際には、上記基板が大きすぎて隙間に入らず使用することができないという問題がある。
【０００６】
そこで、下記特許文献２においては、清掃布の装着されるヘッド部を柄の先端部に備えた清掃具において、上記ヘッド部又は上記柄に、上記清掃布を固定する固定部を設け、且つ該固定部を上記ヘッド部の表面より窪むように配設した清掃具が提案されている。
【０００７】
この上記従来の清掃具は、使い捨ての不織布からなる清掃布をヘッド部に装着して使用するハンディタイプの清掃具である。そのため、机や棚の上や様々の隙間に溜まった埃などを絡め取ることができる。また、清掃布が使い捨ての不織布であるため、清掃布が汚れた場合には、新しい清掃布に取り替えて利用することができる。
【０００８】
しかし、上記従来の清掃具に用いられる清掃布は、上記ヘッド部に装着して利用するもので、このヘッド部に合う形状に成形されているため、例えば、フローリングなどの床面の埃や髪の毛を絡め取るために、基板が平板状に形成された清掃具には使用することができない。これにより、フローリングなどの床面用の清掃シートとは別に、専用の清掃布を用意する必要があり、コストが嵩むとともに、利便性に欠けるという問題がある。
【先行技術文献】
【特許文献】
【０００９】
【特許文献１】特開平８−１８７２１０号
【特許文献２】特開平９−２９９３０５号
【発明の概要】
【発明が解決しようとする課題】
【００１０】
本発明は、かかる事情に鑑みてなされたもので、狭い場所と広い面とに好適に使用することができるとともに、汎用性のある清掃シートを使用することができる清掃具を提供することを課題とするものである。
【課題を解決するための手段】
【００１１】
上記課題を解決するために、請求項１に記載の発明は、外周に清掃シートが着脱自在に装着される長方形板状の基台と、この基台に設けられた柄とを備えた清掃具において、上記基台は、積層状に対向配置されるとともに一方の長辺部において回動自在に連結され、他方の長辺部の対向面に互いに着脱可能な係合部が形成された一対の基板を備えてなり、一方の上記基板の上記対向面の長手方向中央部に、上記柄の基端部を上記対向面に沿って回動自在に支承する連結部が形成されるとともに、上記基板の少なくとも一方の上記対向面に、上記柄を上記基台の長手方向と直交する方向に延出させた際に、当該柄の回動を係止して固定する第１の係止部と、上記柄を上記基台の長手方向に沿って延出させた際に、当該柄の回動を係止して固定する第２の係止部とが設けられていることを特徴とするものである。
【００１２】
また、請求項２に記載の発明は、請求項１に記載の発明において、上記基台の他方の上記長辺部には、一対の基板の上記対向面に対して垂直に突出するとともに、当該長辺部に沿って延設された凹凸部が各々の上記基板に形成され、かつ一方の上記基板の凹部と凸部が他方の上記基板の凸部と凹部に嵌め合うように配設されていることを特徴とするものである。
【００１３】
そして、請求項３に記載の発明は、請求項１または２に記載の発明において、上記柄は、先端部に把持部が形成されているとともに、当該把持部が上記柄の軸線回り方向に回転自在に設けられていることを特徴とするものである。
【００１４】
さらに、請求項４に記載の発明は、請求項１〜３のいずれかに記載の発明において、一対の上記基板の外壁面には、柔軟素材からなる緩衝部材が各々設けられていることを特徴とするものである。
【発明の効果】
【００１５】
請求項１〜４に記載の本発明によれば、一対の基板の一方の長辺部において回動自在に連結され、他方の長辺部の対向面に互いに着脱可能な係合部が形成された基台は、一対の上記基板を開き、当該基台の外壁面側に清掃シートを装着した後、当該基板の他方の上記長辺部において当該清掃シートの端を挟み込み固定するため、上記清掃シートを簡便に上記基台に固定して清掃することができる。これにより、汎用性のある清掃シートを利用することができ、ランニングコストを抑えることができる。
【００１６】
また、柄が、一方の上記基板の上記対向面の長手方向中央部に、上記対向面に沿って回動自在に支承されているとともに、少なくとも一方の上記基板の上記対向面に、上記柄を上記基台の長手方向と直交する方向に延出させた際に、当該柄の回動が係止されて固定される第１の係止部と、上記柄を上記基台の長手方向に沿って延出させた際に、当該柄の回動が係止されて固定される第２の係止部とが設けられているため、上記柄を上記基台の長手方向と直交する方向に延出させることにより、床面や机上などの広い面を清掃することができるとともに、上記柄を上記基台の長手方向に沿って延出させることにより、箪笥と壁との狭い場所などを清掃することができる。この結果、広い面と狭い場所の清掃を１つの清掃具によって行うことができ、利便性に富んだ清掃具を提供することができる。
【００１７】
請求項２に記載の本発明によれば、上記基台の他方の上記長辺部に、上記対向面に対して垂直に突出するとともに、当該長辺部に沿って延設された凹凸部が、各々の上記基板に形成され、かつ一方の上記基板の凹部と凸部が他方の上記基板の凸部と凹部に嵌め合うように配設されているため、上記基台に上記清掃シートを装着して、他方の上記長辺部において挟み込み固定する際に、当該清掃シートが上記凹凸部間に挟み込まれて確実に固定され、床面などを清掃してもズレたり、外れたりすることを防止することができる。この結果、箪笥と壁との狭い隙間を清掃した際にも、確実に埃や髪の毛などを絡め取ることができる。
【００１８】
請求項３に記載の本発明によれば、上記柄の先端部に把持部が形成されているとともに、当該把持部が上記柄の軸線回り方向に回転自在に設けられているため、上記基台に上記清掃シートを装着した際に、上記把持部を上記軸線回り方向に１８０°回転させることにより、当該基台の各々の外壁面を簡便に切り換えて使用することができる。これにより、上記基台を装着した上記清掃シートの一方側の面が汚れても、上記清掃シートを付け変えることなく他方側の面も利用することができ、上記清掃シートを効率的に使用することができる。
【００１９】
請求項４に記載の発明によれば、一対の上記基板の外壁面には、柔軟素材からなる緩衝部材が各々設けられているため、上記基台に上記清掃シートを装着した際に、当該清掃シートが当接される上記緩衝部材の摩擦力により、上記基台の上記外壁面に固着されて、上記清掃シートが縒れたり、ズレたりしてしまうことを防止することができるとともに、床面や机上などの清掃面を傷つけることなく、埃や髪の毛を絡め取ることができる。
【図面の簡単な説明】
【００２０】
【図１】本発明の清掃具の一実施形態を示し、（ａ）は平面図、（ｂ）は底面図である。
【図２】本発明の清掃具の一実施形態を示し、（ａ）は左側面図、（ｂ）は右側面図、（ｃ）は背面図、（ｄ）は正面図である。
【図３】本発明の清掃具の一実施形態を示し、（ａ）は図２（ｄ）のＡ−Ａ断面図、（ｂ）は図２（ｂ）のＢ−Ｂ断面図である。
【図４】本発明の清掃具の第１基板と第２基板とを開き、柄を第１基板および第２基板の長辺部と平行に配置した状態を示す斜視図である。
【図５】本発明の清掃具に清掃シートを被覆させる方法の第１段階を示す斜視図である。
【図６】本発明の清掃具に清掃シートを被覆させる方法の第２段階を示す斜視図である。
【図７】本発明の清掃具に清掃シートを被覆させる方法の第３段階を示す斜視図である。
【図８】本発明の清掃具の第１基板と第２基板とを開き、柄を第１基板および第２基板の長辺部に直交させて配置した状態を示す斜視図である。
【図９】図８の状態から、第１基板と第２基板とを閉じた状態を示す斜視図である。
【発明を実施するための形態】
【００２１】
図１〜図３および図７に示すように、本発明の一実施形態の清掃具１は、清掃シート３と、この清掃シート３が着脱自在に装着され、かつ固定される長方形板状の基台２と、この基台２に設けられた柄４とを備えて概略構成されている。
【００２２】
ここで、清掃シート３は、レーヨンやポリエステルなどの不織布からなるとともに、約３００ｍｍ×２００ｍｍの寸法に裁断されたものである。ちなみに、この約３００ｍｍ×２００ｍｍの寸法の清掃シート３は、一般的に利用されている平板状に形成された基台を有するフローリングワイパなどに用いられる規格寸法である。
【００２３】
そして、柄４は、他端部４ｂ側に把持部４ｃが形成されている。この把持部４ｃは、柄４の軸線回り方向に回転自在に設けられている。また、柄４の基端部４ａ側は平板状に形成されているとともに、基端部４ａの先端にリング部８ａが一体に形成されている。このリング部８ａの内周面に沿って、フランジ部８ｃが周設されている。
【００２４】
また、長方形板状に形成された基台２は、第１基板（基板）５と第２基板（基板）６が積層状に、かつその内壁面（対向面）同士が対向配置されている。そして、この第１基板５の一方の長辺部５ａと、第２基板６の一方の長辺部６ａとが、ヒンジ部１３を介して回動自在に連結されている。このヒンジ部１３は、基台２の長手方向の２箇所に、間隔を置いて設けられている。
【００２５】
そして、第１基板５の他方の長辺部５ｂ側の上記内壁面と、第２基板６の他方の長辺部６ｂ側の上記内壁面に、第１基板５と第２基板６とを着脱自在に係止する係合部７が形成されている。この係合部７は、図４に示すように、第２基板６の他方の長辺部６ｂ側の上記内壁面に、当該長辺部６ｂの長手方向に間隔を置いて凸片７ｂが、当該内壁面に対して垂直に突出して一体に形成されている。この凸片７ｂは、先端部が鈎状に形成されている。そして、第１基板５の他方の長辺部５ｂ側の上記内壁面に、当該長辺部５ｂの長手方向に間隔を置いて孔部７ａが形成されている。この孔部７ａには、第２基板６の上記内壁面に形成された凸片７ｂが挿入され、鈎状の端部に係合される舌部が一体に形成されている。
【００２６】
一方、第１基板５の上記内壁面の長手方向中央に、柄４の基端部４ａを当該内壁面上に沿って回転自在に連結する連結部８が設けられている。この連結部８は、柄４の基端部４ａに形成されたリング部８ａと、このリング部８ａに係止されるとともに、第１基板５の上記内壁面に対して、垂直に突出して形成された突片８ｂとにより構成されている。この突片８ｂは、柄４の基端部４ａに形成されたリング部８ａの内周面と略同一円寸法上に等間隔に４つ設けられているとともに、先端部の外方側にフック部８ｄが形成されている。そして、柄４の基端部４ａに形成されたリング部８ａの内周面に形成されたフランジ部８ｃに、各々の突片８ｂのフック部８ｄが係止されている。
【００２７】
さらに、第１基板５の一方の長辺部５ａ側の上記内壁面には、柄４を基台２の長手方向に沿って配置し、どちらか一方の短辺部５ｃから延出させる際に、当該柄４の回転を係止する係止凸部（第２の係止部）１０が、一方の長辺部５ａに沿って延設されている。そして、この係止凸部１０の外方側には、第１基板５の一方の長辺部５ａと第２基板６の一方の長辺部６ａとを回動自在に連結するヒンジ部１３の一方が、基板２の長手方向の２箇所に間隔を置いて一体に形成されている。また、第１基板５の他方の長辺部５ｂの縁端部には、この縁端部に沿って凹凸部１１が一体に延設されている。この凹凸部１１は、第１基板５の上記内壁面に対して垂直に突出して形成されている。
【００２８】
他方、第２基板６の上記内壁面の他方の長辺部６ｂ側には、柄４を基台２の長手方向に沿って配置して、どちらか一方の短辺部５ｃから延出させる際に、当該柄４を第１基板５に設けられた係止凸部１０に当接させて配置した後、第１基板５と第２基板６とを閉じた際に、柄４の他方の長辺部５ｂ、６ｂ側の回転を係止するとともに、柄４を固定する係止凸部１０が、他方の長辺部６ｂに沿って延設されている。また、他方の長辺部６ｂ側の上記内壁面の中央部には、柄４を第１基板５の他方の長辺部５ｂに対して直交方向に延出させて配置した際に、当該柄の回転を係止するとともに、固定する係止凹部（第１の係止部）９が形成されている。この係止凹部９は、他方の長辺部６ｂに沿って延設された係止凸部１０の中央部に形成されている。
【００２９】
また、第２基板６の一方の長辺部６ａ側には、第２基板６と第１基板５とを回動自在に連結するヒンジ部１３の他方が、基板２の長手方向の２箇所に間隔を置いて一体に形成されている。そして、第２基板６の他方の長辺部６ｂの縁端部には、凹凸部１１が第２基板６の他方の長辺部６ｂに沿って延設されているとともに、第２基板６の上記内壁面に対して垂直に突出して形成されている。この凹凸部１１は、第１基板５の他方の長辺部５ｂの縁端部に形成された凹凸部１１とが、一方の凹部と他方の凸部が嵌め合うように配設されている。
【００３０】
そして、第１基板５と第２基板６との外壁面には、ラバー（緩衝部材）１２が全面に設けられている。このラバー１２は、発泡ウレタンや発泡樹脂などの緩衝性の高いものが用いられている。
【００３１】
以上の構成による清掃具１を用いて、箪笥と壁などの間の狭い場所、および床面や机上などの広い面を清掃する場合について説明する。
まず、箪笥と壁などの間の狭い場所を清掃する場合には、図４に示すように、基台２を構成する第１基板５と第２基板６とを係合部７から解除し各々を開く。次いで、柄４の基端部４ａに形成されたリング部８ａが支承された連結部８を支点に回転させて、第１基板５の長手方向に沿って配置するとともに、第１基板５の短辺部５ｃから延出させる。この際に、柄４は第１基板５の一方の長辺部５ａの上記内壁面に設けられた係止凸部１０によって、一方の長辺部５ａ側への回転が係止される。
【００３２】
次いで、図５に示すように、平坦面に清掃シート３を広げて置き、その清掃シート３の上に、第１基板５および第２基板６のラバー１２が設けられた外壁面側を下にして置く。この際に、清掃シート３は、第１基板５および第２基板６を開いた状態の上記外壁面側の面積よりも大きな面積であるため、清掃シート３の略中央に第１基板５および第２基板６を置く。
【００３３】
そして、図６に示すように、第１基板５の他方の長辺部５ｂに沿って、清掃シート３の端を第１基板５の上記内壁面側に折り込む。次いで、第２基板６の他方の長辺部６ｂに沿って、清掃シート３の端を第２基板６の上記内壁面側に折り込む。
【００３４】
次に、図７に示すように、第１基板５と第２基板６とを閉じて、係合部７によって係合させる。その際に、第１基板５および第２基板６の上記内壁面側に折り込まれた清掃シート３は、第１基板５の他方の長辺部５ｂ側と第２基板６の他方の長辺部６ｂ側とに設けられた凹凸部１１に挟み込まれて、確実に固定される。
【００３５】
そして、基台２に清掃シート３を装着した状態により、第１基板５の上記外壁面側を利用して、箪笥と壁との隙間に基台２部分を挿入して清掃する。その際に、第１基板５と第２基板６の外壁面に設けられたラバー１２によって、清掃シート３は縒れたり、ズレることなく、確実に埃や髪の毛を絡め取るとともに、床面や壁などを傷をつけてしまうことを防ぐことができる。
【００３６】
なお、第１基板５側の面の清掃シート３が汚れた場合には、清掃シート３を取り外すことなく、柄４の把持部４ｃを当該柄４の軸線回り方向に１８０°回転することにより、第２基板６の上記外壁面側を利用して清掃することができ、簡便に基台２の両面を利用して清掃することができる。
【００３７】
次に、床面や机上などの広い面を清掃する場合には、図８に示すように、基台２を構成する第１基板５と第２基板６とを係合部７から解除し各々を開く。次いで、柄４の基端部４ａに形成されたリング部８ａが支承された連結部８を支点に回転させて、第１基板５の長手方他方の長辺部５ｂに対して直交方向に延出させて配置する。
【００３８】
そして、上記柄４を第１基板５の長手方向に沿って配置した際と同様に、平坦面に清掃シート３を広げて置き、その清掃シート３の上に、第１基板５および第２基板６のラバー１２が設けられた上記外壁面側を下にして置く。この際に、清掃シート３は、第１基板５および第２基板６を開いた状態の外壁面積よりも大きな面積であるため、清掃シート３の略中央に第１基板５および第２基板６を置く。
【００３９】
さらに、上記柄４を第１基板５の長手方向に沿って配置した際と同様に、第１基板５の他方の長辺部５ｂに沿って、清掃シート３の端を第１基板５の上記内壁面側に折り込む。次いで、第２基板６の他方の長辺部６ｂに沿って、清掃シート３の端を第２基板６の上記内壁面側に折り込む。
【００４０】
次に、図９に示すように、第１基板５と第２基板６とを閉じて、係合部７によって係合させると、柄４が第２基板６の他方の長辺部６ｂ側の上記内壁面に形成された係止凹部９に係止されて、柄４の回転を係止するとともに固定される。その際に、柄４を第１基板５の長手方向に沿って配置した際と同様に、第１基板５および第２基板６の上記内壁面側に折り込まれた清掃シート３は、第１基板５の他方の長辺部５ｂ側と第２基板６の他方の長辺部６ｂ側とに設けられた凹凸部１１に挟まれて、確実に固定される。
【００４１】
そして、基台２に清掃シートを被覆した状態により、第１基板５の上記外壁面側を利用して、床面や机上を清掃する。その際に、第１基板５と第２基板６の上記外壁面に設けられたラバー１２によって、清掃シート３はズレることなく、確実に埃や髪の毛を絡め取るとともに、床面や壁などを傷をつけてしまうことを防ぐことができる。
【００４２】
なお、第１基板５側の面の清掃シート３が汚れた場合には、上記柄４を第１基板５の長手方向に沿って配置した際と同様に、清掃シート３を取り外すことなく、柄４の把持部４ｃを当該柄４の軸線回り方向に１８０°回転することにより、第２基板６の上記外壁面側を利用して清掃することができ、簡便に基台２の両面を利用して清掃することができる。
【００４３】
上述の実施形態による清掃具１によれば、第１基板５および第２基板６の一方の長辺部５ａ、６ａにおいて回動自在に連結され、他方の長辺部５ｂ、６ｂの内壁面に互いに着脱可能な係合部７が形成された基台は、第１基板５と第２基板６とを開き、上記外壁面側に清掃シート３を装着した後、第１および第２基板５、６の他方の長辺部５ｂ、６ｂにおいて当該清掃シート３の端を挟み込み固定するため、清掃シート３を簡便に基台２に固定して清掃することができる。これにより、汎用性のある清掃シートを利用することができ、ランニングコストを抑えることができる。
【００４４】
また、柄４が、第１基板５の上記内壁面の長手方向中央部に、当該内壁面に沿って回動自在に支承されているとともに、第２基板６の上記内壁面に、柄４を基台２の長手方向と直交する方向に延出させた際に、当該柄４の回動が係止されて固定される係止凹部９と、第１基板５および第２基板６の各々の上記内壁面に、柄４を基台２の長手方向に沿って延出させた際に、当該柄４の回動が係止されて固定される第２の係止部とが設けられているため、柄４を基台２の長手方向と直交する方向に延出させることにより、床面や机上などの広い面を清掃することができるとともに、柄４を基台２の長手方向に沿って延出させることにより、箪笥と壁との狭い場所などを清掃することができる。この結果、広い面と狭い場所の清掃を１つの清掃具によって行うことができ、利便性に富んだ清掃具を提供することができる。
【００４５】
そして、第１基板５と第２基板６の他方の長辺部５ｂ、６ｂに、上記内壁面に対して垂直に突出するとともに、他方の当該長辺部５ｂ、６ｂに沿って延設された凹凸部１１が形成され、かつ第１基板５の凹部と凸部が第２基板６の凸部と凹部に嵌め合うように配設されているため、基台２に清掃シート３を装着して、他方の長辺部５ｂ、６ｂにおいて挟み込み固定する際に、当該清掃シート３が凹凸部１１間に挟み込まれて確実に固定され、床面などを清掃してもズレたり、外れたりすることを防止することができる。この結果、箪笥と壁との狭い隙間を清掃した際にも、確実に埃や髪の毛などを絡め取ることができる。
【００４６】
さらに、柄４の先端部４ｂに把持部４ｃが形成されているとともに、当該把持部４ｃが柄４の軸線回り方向に回転自在に設けられているため、基台２に清掃シート３を装着した際に、把持部４ｃを上記軸線回り方向に１８０°回転させることにより、当該基台２の各々の上記外壁面を簡便に切り換えて使用することができる。これにより、基台２を装着した清掃シート３の一方側の面が汚れても、当該清掃シート３を付け変えることなく他方側の面も利用することができ、清掃シート３を効率的に使用することができる。
【００４７】
また、第１基板および第２基板の各々の上記外壁面には、柔軟素材からなるラバー１２が設けられているため、基台２に清掃シート３を装着した際に、当該清掃シート３が当接されるラバー１２の摩擦力により、基台２の上記外壁面に固着されて、清掃シート３が縒れたり、ズレたりしてしまうことを防止することができるとともに、床面や机上などの清掃面を傷つけることなく、埃や髪の毛を絡め取ることができる。
【００４８】
なお、上記実施の形態において、柄４が他端部４ｂに把持部４ｃを設けたハンディータイプのものを用いる場合のみ説明したが、これに限定されるものでなく、例えば、立った状態で利用可能なロングタイプの柄を用いても対応可能である。
【産業上の利用可能性】
【００４９】
机上や床面および狭い場所を清掃する際に利用することができる。
【符号の説明】
【００５０】
１  清掃具
２  基台
３  清掃シート
４  柄
４ａ  基端部
４ｂ  他端部
４ｃ  把持部
５  第１基板（基板）
５ａ  一方の長辺部
５ｂ  他方の長辺部
５ｃ  短辺部
６  第２基板（基板）
６ａ  一方の長辺部
６ｂ  他方の長辺部
６ｃ  短辺部
７  係合部
８  連結部
９  係止凹部（第１の係止部）
１０  係止凸部（第２の係止部）
１１  凹凸部
１２  ラバー（緩衝部材）
１３  ヒンジ部
【図１】
2013121382.tif 000003
【図２】
2013121382.tif 000004
【図３】
2013121382.tif 000005
【図４】
2013121382.tif 000006
【図５】
2013121382.tif 000007
【図６】
2013121382.tif 000008
【図７】
2013121382.tif 000009
【図８】
2013121382.tif 000010
【図９】
2013121382.tif 000011